(57)【特許請求の範囲】
【請求項１】
各々が側壁と頂部とを有する複数の容器を保持する保持運搬具において、各々が各容器の側壁に沿って容器を保持してパッケージを形成するための開口部を形成するバンドを有する容器係合部と、当該保持運搬具を容器に適用したときに上記容器係合部に対して略垂直に延びる取っ手部分とを具備し、該取っ手部分はパッケージが運搬されていないときには容器の頂部よりも上方に実質的に延びることのない最も上方の面を有し、パッケージが運搬されているときには取っ手部分の少なくとも一部が容器の頂部を越えて延びる保持運搬具。
【請求項２】
前記取っ手部分がエルボーを備えた帯状部分を有し、パッケージが運搬されているときに取っ手部分が容器の頂部を越えて延びるように取っ手部分が上記エルボーによって拡張可能とされている請求項１に記載の保持運搬具。
【請求項３】
前記帯状部分が可撓性を有するプラスチック材料から作製され、前記取っ手部分が上方へ拡張して容器の頂部を越えて延びるときに前記帯状部分が概ね真っ直ぐである請求項２に記載の保持運搬具。
【請求項４】
六つの容器を保持する請求項３に記載の保持運搬具。
【請求項５】
八つの容器を保持する請求項３に記載の保持運搬具。
【請求項６】
前記帯状部分が隣接した保持運搬具を該帯状部分へ取り付けるための取付け領域を有する請求項２に記載の保持運搬具。
【請求項７】
前記容器係合部が隣接した保持運搬具を該容器係合部へ取り付けるための取付け領域を有する請求項６に記載の保持運搬具。
【請求項８】
前記取っ手部分は該取っ手部分が上方へ拡張して容器の頂部を越えて延びるときに前記帯状部分が概ね真っ直ぐであるように該取っ手部分を分離するための分離手段を前記帯状部分間に有する請求項２に記載の保持運搬具。
【請求項９】
前記分離手段が孔線である請求項８に記載の保持運搬具。
【請求項１０】
八つの容器を保持する請求項９に記載の保持運搬具。
【発明の詳細な説明】
【０００１】
【発明の属する技術分野】
本発明は概して新規の保持運搬具に関し、この保持運搬具は、ボトル等の容器をまとめてパッケージを形成し、取っ手を有しており、この取っ手は、静止状態にあるときは容器の頂部を越えて実質的に延びないが、運搬する目的のためには取っ手が上方へ拡張して容器の頂部を越えて延びる。
【０００２】
【従来の技術】
今日では容器をまとめてパッケージにするといった分野では、幾つかのタイプの保持運搬具を見ることができる。一つの例は、プラスチック材料からなる平坦なシートから形成された典型的な六個梱包用の保持運搬具であり、これは複数の容器を保持し運搬するのに用いられる。シートには複数の開口部が通常二列で設けられており、各開口部は容器をそこに保持する。保持運搬具は各容器の頂部に取り付けられるため、保持運搬具は容器の頂部によって形成される平面の僅かに下方に位置する。保持運搬具は列の間に保持運搬具を通る指用穴を有しており、利用者はパッケージを運搬するために自分の指をこの穴に挿入できる。
【０００３】
【発明が解決しようとする課題】
パッケージを上記のように形成したとき、利用者は指用穴を通して指を簡単に配置し、パッケージを運搬することができる。しかしながら、このタイプの保持運搬具がボトル等の容器の側壁に沿った位置において容器に配置されたとき、パッケージは上記のようには簡単に運搬できない。利用者は指用穴へアクセス、即ち達するために指をパッケージ内へ挿入しなければならない。指が大きすぎて容器列の間に合わなければ、その人は指用穴へ達することができない。
【０００４】
このタイプの梱包において取っ手を保持運搬具へ追加したため、利用者は保持運搬具の高さまで指をパッケージへ挿入する必要がなくなった。取っ手はパッケージにおいて上方へ、そして平坦な保持運搬具に対し略垂直に延びており、取っ手の頂部は容器の頂部と概ね等しい高さにある。このタイプの保持運搬具で生じる一つの問題は、これでも、運搬する目的で取っ手を掴むために利用者の手をパッケージへ挿入しなければならないということである。
【０００５】
本発明は従来の技術における問題を克服し、最小限に抑える保持運搬具用の新規の取っ手を提供し、また他の幾つかの新規の利点と特徴とを提供する。
【０００６】
本発明の全体的な目的は、ボトルや缶等の複数の容器を保持し運搬するためのプラスチック製の新規の保持運搬具を提供することであり、この保持運搬具は新規の取っ手を有し、この取っ手は、静止状態においては容器の頂部の上方へ実質的に延びないが、運搬の目的のためには取っ手が上方へ拡張して容器の頂部を越えて延びる。
【０００７】
本発明の他の全体的な目的は、ボトルや缶等の複数の容器を保持し運搬するためであって、肘のように曲がったエルボーを有する新規の取っ手を備えたプラスチック製の新規の保持運搬具を提供することであり、上記エルボーは相互接続される隣接した保持運搬具のための接続部分を形成するため、保持運搬具を簡単に素早くリールまたはロールに巻き、容易に取り扱うことができる。
【０００８】
本発明の更なる目的は、利用者が容易に運搬できる丈夫な保持運搬具を提供することである。
【０００９】
【課題を解決するための手段】
つまり前述によれば、本発明はボトルや缶等の複数の容器を保持し運搬する保持運搬具を開示するものであり、この保持運搬具は新規の取っ手部分を有し、この取っ手部分は、利用者がパッケージを運搬していないときには容器の頂部の上方には実質的に延びないが、運搬する目的のためには取っ手部分は容器の頂部を越えて上方へ拡張可能である。保持運搬具は容器係合部を有し、各容器係合部は、容器を保持してパッケージを形成するために容器の側壁と係合する開口部を形成する環状のリングまたはバンドを有する。保持運搬具が容器に係合されたときには、取っ手部分は容器係合部に対し上方且つ略垂直に延びる。
【００１０】
各リングまたはバンドは内縁部と、外縁部と、側縁部とを有する。隣接したバンドの内縁部は連結部分において互いに連結されている。隣接したバンドの側縁部は互いに一体的に形成されている。
【００１１】
本発明の保持運搬具の取っ手部分は、概ねＵ字形状の掴持部分と、取っ手部分の掴持部分を連結部分へ一体的に接続する角度のあるまたは曲げられた帯状部分とから形成される。パッケージを運搬するために保持運搬具を利用者が持ち上げたとき、帯状部分は概ね真っ直ぐであり、取っ手部分が上方へ拡張して取っ手部分の掴持部分が容器の頂部を越えて延びる。
【００１２】
新規の保持運搬具の第一実施形態における取っ手部分は、孔線に沿って互いに接続された二組の細長い帯状部分から形成される。利用者がパッケージを運搬するとき、第一および第二の組の細長い片は、孔線に沿って分割されて互いに離れて概ね真っ直ぐになり、取っ手部分が上方へ拡張して取っ手部分の掴持部分が容器の頂部を越えた延びる。
【００１３】
取っ手部分および容器係合部の最も外側の範囲は、相互接続される隣接した保持運搬具を取り付けるための取付け領域を提供する。これにより複数の平坦な保持運搬具を容易に扱うことができる。保持運搬具が平坦で互いに取り付けられているとき、保持運搬具をリールに巻き、または容易に扱える。
【００１４】
【発明の実施の形態】
本発明の構造の組成および様式、そして本発明の作用、並びに本発明の更なる目的および利点は、添付図面と合わせた後述の説明から理解でき、ここでは同様の参照番号は同様の要素を示した。
【００１５】
本発明において異なる形態の実施形態も可能であるが、特定の実施形態を図面で示し、詳細に説明する。しかしながら本開示は本発明の原理の単なる例であり、本発明はここで図示し説明する実施形態に限定されない。
【００１６】
図面において本発明の技術に従って構成された多数梱包装置または保持運搬具２０、２０ａは複数の容器２２を保持するものである。第一実施形態の保持運搬具２０を図１〜図４に示し、第二実施形態の保持運搬具２０ａを図５〜図７に示した。各実施形態における同様の要素は同様の参照番号を用いており、第二実施形態では参照番号の後ろに添字『ａ』を付けて示した。
【００１７】
図２および図３に示したように、本発明の技術に従って構成された第一実施形態である保持運搬具２０は、六つのボトル２２を保持および保有して一つのパッケージ２３を形成するのに用いられる。図６および図７に示したように、本発明の技術に従って構成された第二実施形態である保持運搬具２０ａは、八つのボトル２２を保持および保有して一つのパッケージ２３ａを形成するのに用いられる。各ボトル２２は側壁２４と底壁２６と頂部または蓋２８とを有する。当然のことながら、缶など他の容器も保持運搬具２０、２０ａにより保持し運搬できる。
【００１８】
各保持運搬具２０、２０ａはプラスチックのような適切な可撓性、弾性、そして伸縮性を有する材料から作製される。保持運搬具２０、２０ａを低密度のポリエチレンから作製し、保持運搬具２０、２０ａが容器２２に沿って伸びて、容器２２の側壁２４の形状に合うようなのが好ましい。保持運搬具２０、２０ａは公知手段、例えばブラウン（Ｂｒａｕｎ）  の米国特許第４，２５０，６８２号やクリード（Ｃｒｅｅｄ）  らの米国特許第３，２０４，３８６号に開示された機械により容器２２へ取り付けられる。
【００１９】
容器２２が保持運搬具２０、２０ａにより一つのパッケージにまとめられると、容器２２が整列し、二つの列が形成される。図２および図３に示したように、第一実施形態の保持運搬具２０においては、各列は三つのボトルを有し、図３に示したように、第二実施形態の保持運搬具２０ａにおいては、各列は四つのボトルを有する。しかしながら容器の数に係わりなく保持運搬具２０、２０ａは同様に良好に機能するのは明らかである。
【００２０】
保持運搬具２０、２０ａの実施形態の全体構造に注目すると、説明の都合上、第一実施形態である保持運搬具２０に関して全体構造を説明する。第二実施形態である保持部２０ａは本願で説明する差異を除いて同様の構造である。
【００２１】
保持運搬具２０は容器係合部３０、３２を有し、各容器係合部３０、３２は複数の環状のリングまたはバンド３４から形成されている。各バンド３４は内縁部３６と、外縁部３８と、各バンド３４の内縁部３６を同じ各バンド３４の外縁部３８へ接続する側縁部４０、４２とを有する。隣接したバンド３４の側縁部は互いに一体的に連結されているため、帯状のバンド３４の外縁部３８は保持運搬具２０の長さ方向に沿って途切れずに連続している。
【００２２】
バンド３４は各バンド３４の内縁部３６に沿って本願で説明するシームまたは連結部分４４により互いに接続または連結されている。環状のバンド３４は容器２２をしっかり保持するように成形された複数の開口部４６を形成する。各開口部４６の外縁４８は本願で説明する理由によりある所定の輪郭に僅かに形どられている。
【００２３】
容器係合部３０、３２は連結部分４４から自由に延びる。保持運搬具２０が容器２２と共に組み立てられていないときには、保持運搬具２０は平坦であり、連結部分４４は容器係合部３０、３２と同じ平面上にある。連結部分４４は保持運搬具２０が容器２２と共に組み立てられると容器係合部３０、３２の面に対して略垂直に突出する。
【００２４】
プラスチック、好ましくは低密度のポリエチレン材料のような弾性と伸縮性とを有する材料（図示せず）の細長いストリップ（ｓｔｒｉｐ）  または層状材を環状の各バンド３４の内縁部３６間に押し出し成形し、その後、容器係合部３０、３２の内縁部３６と押し出されたプラスチック製の層状材とを公知手段により、好ましくは層状材を互いに溶封し且つ融着することにより十分溶融および融合し、強く一体として接合することで連結部分４４を形成する。連結部分４４の長さ方向において、連結部分４４は切欠き５０により途切れており、この切欠き５０により容器係合部３０、３２の間に穴が形成される。本発明の複数梱包装置または保持運搬具２０を形成する製造方法は、米国特許出願番号第０８／２３０，３０８号に『Ｃｏｎｔａｉｎｅｒ  Ｃａｒｒｉｅｒ  （容器保持運搬具）』という発明の名称で開示されており、この特許出願は本願の譲受人が所有し、また開示内容は本願にも含まれる。
【００２５】
連結部分４４においてプラスチック材料の二つの別個のシートを互いに連結することにより保持運搬具２０を形成するのが好ましい。しかしながらプラスチック材料の一枚のシートを使用してそのシートを半分に折ってプラスチック層を提供することにより、さもなければシートを互いに融着して連結部分４４を形成することにより保持運搬具２０を形成することも本発明の範囲内である。
【００２６】
保持運搬具２０は保持運搬具２０の連結部分４４から上方へ延びる一体型の取っ手部分５２を有する。従って保持運搬具２０が容器２２と共に組み立てられていないときには、保持運搬具２０は平坦であり、取っ手部分５２は容器係合部３０、３２と同じ平面上にある。保持運搬具２０が容器２２と共に組み立てられると、取っ手部分５２は容器係合部３０、３２の面に対し略垂直に突出する。
【００２７】
取っ手部分５２は保持運搬具２０を形成するのに用いられる二つのシートから形成される。これらシートを互いに溶封し、またはこれらシート間においてプラスチック材料の層を押出成形して形成された接合部５４が、取っ手部分５２の上部に沿って設けられ、取っ手部分５２を形成するシートが離れてしまうのを防止している。またこれは、利用者が取っ手部分５２を容易に掴むことを補助する。また保持運搬具２０を取っ手部分のない構造とすることも可能である。
【００２８】
ここで図１〜図４で示した特定の第一実施形態である保持運搬具２０に注目すると、これは好ましくは六つの容器を保持し運搬するのに用いられ、取っ手部分５２は利用者が自分の手で掴んでパッケージ２３を運搬するための概ねＵ字形状の掴持部分５６と、角度のあるまたは曲げられた複数の帯状部分５８とから形成されており、上記帯状部分５８は取っ手部分５２の掴持部分５６を連結部分４４へ一体的に接続する。保持運搬具２０は、外側帯状部分６０と内側帯状部分６２とから形成された第一帯部材組と、外側帯状部分６４と内側帯状部分６６とから形成された第二帯部材組とを有する。帯状部分６０および６２並びに６４および６６の両方の組は、取っ手部分５２の両シートから形成される。帯状部分６０および６２並びに６４および６６の組は、本願で説明するように一体的に共に接続されている。Ｕ字形状の掴持部分５６は曲げられた帯状部分へ位置５７において接続されており、これは本発明に従って高くなったり拡張したりしたときの取っ手の所望高さにより変えられる。
【００２９】
本発明２０が容器２２へ取り付けられておらず、また利用者がパッケージ２３を運搬していないときには、取っ手部分５２は『静止』位置にあり、図２に示したように、取っ手部分５２の掴持部分５６は容器の頂部２８の上方へは実質的に延びていない。帯状部分６０および６２並びに６４および６６により取っ手部分５２が上方へ拡張できるため、図３に示し本願で説明するように、運搬する目的のために取っ手部分５２の掴持部分５６は、容器２２の頂部２８を越えて延びる。
【００３０】
各外側帯状部分６０、６４は第一脚６８を有し、この第一脚６８は、それぞれ保持運搬具２０の最も外側の開口部の上方で連結部分４４から上方へ連結部分４４に対し角度αで延びており、各第一脚６８は互いに外方へ離れてゆく。各第一脚６８は連結部分４４と一体的に形成されている。各外側帯状部分６０、６４は第一脚６８と一体的に設けられた第二脚７０を有し、この第二脚７０は第一脚６８に対し角度α’で配置され、肘のようにＬ字型に曲がったエルボー部分７２で第一脚６８へ連結されている。第二脚７０は掴持部分５６と一体的に設けられている。静止状態においては、第二脚７０は連結部分４４に対し略平行である。
【００３１】
各内側帯状部分６２、６６は第一脚７４を有し、この第一脚７４は、保持運搬具２０の中央の開口部の上方で連結部分４４から上方へ連結部分４４に対し角度βで延びており、各第一脚７４は互いに向かって内方へ近づいて集まる。第一脚７４は連結部分４４と一体的に形成されている。内側帯状部分６２、６６は第一脚７４と一体的に設けられた第二脚７６を有し、この第二脚７６は第一脚７４に対し角度β’で配置され、肘のようにＬ字型に曲がったエルボー部分７８で第一脚７４へ連結されている。静止状態においては、第二脚７６は連結部分４４に対し平行である。
【００３２】
内側帯状部分６２、６６のエルボー部分７８は互いに一体的に連結されている。従って取っ手部分５２は一体的に形成される。
【００３３】
好適実施形態においては、角度αおよびα’は等しく、５０°であり、角度βおよびβ’は等しく、８０°である。これら角度は鋭角であるべきであるが、正確な角度は、所望の高さおよび／または所望の種々の帯状部材にかかる相対的な応力の量によって変わる。また曲げられた帯状部分に対する接続点の位置５７が実際の角度を決定する。
【００３４】
掴持部分５６と脚７０、７６との間の連結部は、後述するように脚の可撓性および掴持部分の上方への延びを促進するようにエルボー部分７２、７８から間隔を開けて位置する。つまり帯状部分６０および６２並びに６４および６６は、パッケージが取っ手により持ち上げられたときに帯状部分が真っ直ぐになるように、連結部分４４との連結部から掴持部分５６との連結部までジグザグの形態で延びている。
【００３５】
利用者が取っ手部分５２によりパッケージ２３を運搬することを望むときには、利用者は取っ手部分５２の掴持部分５６を掴む。利用者がパッケージ２３を持ち上げると、取っ手部分５２が上方へ引っ張られ、容器２２の重さが上方へ向かう力と相互作用するため、帯状部分６０および６２並びに６４および６６の組が撓む。図３に示したように、取っ手部分５２が撓み、帯状部分６０および６２並びに６４および６６が概ね真っ直ぐであるので、取っ手部分５２は上方へ拡張し、これにより取っ手部分５２の掴持部分５６が容器２２の頂部２８を越えて延びる。帯状部分６０および６２並びに６４および６６が概ね真っ直ぐであるとき、各帯状部分６０および６２、６４および６６の第一および第二脚６８および７０、７４および７６は、それぞれ直線を形成する。エルボー部分７２、７８のために、第一および第二脚６８および７０、７４および７６は完全には真っ直ぐではない。パッケージ２３の取っ手部分５２が解放されると、取っ手部分５２は概ね元の形状になる。
【００３６】
ここで図５〜図７に示した特定の第二実施形態である保持運搬具２０ａに注目すると、これは好ましくは八つの容器を保持し運搬するのに用いられ、取っ手部分５２ａは第一実施形態と同様である。取っ手部分５２ａは利用者が自分の手で掴んでパッケージ２３を運搬するための概ねＵ字形状の掴持部分５６ａと、角度のあるまたは曲げられた複数の帯状部分５８ａとから形成されており、帯状部分５８ａは取っ手部分５２ａの掴持部分５６ａを連結部分４４へ一体的に接続する。Ｕ字形状の掴持部分５６ａは曲げられた帯状部分へ位置５７ａにおいて接続されており、これは本発明に従って高くなったり拡張したりしたときの取っ手の所望高さにより変えられる。各帯状部分５８ａは取っ手部分５２ａの両シートから形成される。
【００３７】
保持運搬具２０ａは外側帯状部分６０ａと内側帯状部分６２ａとから形成された第一帯部材組と、外側帯状部分６４ａと内側帯状部分６６ａとから形成された第二帯部材組とを有する。第一および第二帯部材組６０ａおよび６２ａ並びに６４ａおよび６６ａは本願で説明するように孔線８０に沿って互いに連結されている。
【００３８】
図６に示したように、第一実施形態と同じく、保持運搬具２０ａが容器２２に取り付けられておらず、また利用者がパッケージ２３ａを運搬していないとき、取っ手部分５２ａは『静止』位置にあり、取っ手部分５２ａの掴持部分５６ａは容器２２の頂部２８の上方へは実質的に延びていない。利用者がパッケージ２３ａを運搬するとき、取っ手部分５２ａは引き伸ばされ、孔線８０が破断する。これにより第一および第二帯部材組６０ａおよび６２ａ並びに６４ａおよび６６ａが互いから離れるため、帯状部分６０ａおよび６２ａ、６４ａおよび６６ａは概ね真っ直ぐであり、取っ手部分５２ａが上方へ延び、図７で示し本願で説明するように、取っ手部分５２ａの掴持部分５６ａは容器２２の頂部２８を越えて延びる。
【００３９】
各外側帯状部分６０ａ、６４ａは第一脚６８ａを有し、この第一脚６８ａは、それぞれ保持運搬具２０ａの最も外側の開口部の上方で連結部分４４から上方へ連結部分４４に対し角度λで延びており、各第一脚６８ａは互いに外方へ離れてゆく。各第一脚６８ａは連結部分４４と一体的に形成されている。各外側帯状部分６０ａ、６４ａは第一脚６８ａと一体的に設けられた第二脚７０ａを有し、この第二脚７０ａは第一脚６８ａに対し角度λ’で配置され、肘のようにＬ字型に曲がったエルボー部分７２ａで第一脚６８ａへ連結されている。第二脚７０ａは掴持部分５６ａと一体的に設けられている。静止状態においては、第二脚７０ａは連結部分４４に対し略平行である。
【００４０】
各内側帯状部分６２ａ、６６ａは第一脚７４ａを有し、この第一脚７４ａは、保持運搬具２０ａの最も内側の開口部の上方で連結部分４４から上方へ連結部分４４に対し角度φで延びており、各第一脚７４ａは互いに向かって内方へ近づいて集まる。内側帯状部分６２ａ、６６ａは第一脚７４ａと一体的に設けられた第二脚７６ａを有し、この第二脚７６ａは第一脚７４ａに対し角度φ’で配置され、肘のようにＬ字型に曲がったエルボー部分７８ａで第一脚７４ａへ連結されている。静止状態においては、第二脚７６ａは連結部分４４に対し平行である。内側帯状部分６２ａ、６６ａのエルボー部分７２ａ、７８ａは孔線８０に沿って互いに連結されている。
【００４１】
好適実施形態においては、角度λおよびλ’は等しく、６６°であり、角度φおよびφ’は等しく、５５°である。これら角度は鋭角であるべきであるが、正確な角度は、所望の高さおよび／または所望の種々の帯状部材にかかる相対的な応力の量によって変わる。また曲げられた帯状部分に対する接続点の位置５７ａが実際の角度を決定する。
【００４２】
掴持部分５６ａと脚７０ａ、７６ａとの間の連結部は、後述するように脚の可撓性および掴持部分５６ａの上方への延びを促進するようにエルボー部分７２ａ、７８ａから間隔を開けて位置する。つまり帯状部分６０ａおよび６２ａ並びに６４ａおよび６６ａは、パッケージが取っ手により持ち上げられたときに帯状部分が真っ直ぐになるように、連結部分４４との連結部から掴持部分５６ａとの連結部までジグザグの形態で延びている。
【００４３】
利用者が取っ手部分５２ａによりパッケージ２３ａを運搬することを望むとき、利用者は取っ手部分５２ａの掴持部分５６ａを掴む。利用者がパッケージ２３ａを持ち上げると、取っ手部分５２ａが上方へ引っ張られ、容器２２の重さが上方へ向かう力と相互作用するため、帯状部分６０ａおよび６２ａ並びに６４ａおよび６６ａの組が撓む。図３に示したように、取っ手部分５２ａが孔線８０に沿って分割されて帯状部分の組が分離し、図７に示したように、取っ手部分５２ａの帯状部分６０ａおよび６２ａ並びに６４ａおよび６６ａが概ね真っ直ぐであるので、取っ手部分５２ａは上方へ拡張し、これにより取っ手部分５２ａの掴持部分５６ａが容器２２の頂部２８を越えて延びる。帯状部分６０ａおよび６２ａ並びに６４ａおよび６６ａが概ね真っ直ぐであるとき、各帯状部分６０ａおよび６２ａ、６４ａおよび６６ａの第一および第二脚６８ａおよび７０ａ、７４ａおよび７６ａは、それぞれ直線を形成する。エルボー部分７２ａ、７８ａのために、第一および第二脚６８ａおよび７０ａ、７４ａおよび７６ａは完全には真っ直ぐではない。パッケージ２３ａの取っ手部分５２ａが解放されると、取っ手部分５２ａは概ね元の形状になる。
【００４４】
図４に示したように、保持運搬具２０が製造されるとき、保持運搬具２０は個々の保持運搬具に分離される前は共に一体的に取り付けられている。取っ手部分５２の最も外側の端部８２と、容器係合部３０、３２の最も外側の端部８４とにより、図４に示したように、相互接続される同様の隣接した保持運搬具を取り付けるための取付け領域が提供される。これにより複数の平坦な保持運搬具２０を容易に扱うことができる。保持運搬具２０が平坦であり、互いに取り付けられているとき、保持運搬具２０はリールへ巻かれてロールになっており、容易に扱うことができる。個々の保持運搬具２０を形成するには、適切な手段により保持運搬具を切断して互いから離す。図５〜図７に示した保持運搬具２０ａの実施形態は、第一実施形態で示した保持運搬具２０と同様の取付け領域８２、８４を有し、同様に扱われる。
【００４５】
各保持運搬具２０、２０ａは細長い破断片８６、８６ａを有する。各破断片８６、８６ａはバンド３４の連続した外縁部３８の大部分から形成され、細かい直線状の孔からなる孔線８８によって保持運搬具２０、２０ａの残りの部分から分離され、この孔線８８が破断したとき、保持運搬具の外縁部の残りの部分から形成された第一部分と、破断片８６、８６ａ自身から形成された第二部分とへ保持運搬具２０、２０ａの外縁部３８が分離される。破断片８６、８６ａを、一旦、保持運搬具２０、２０ａの残りの部分から分離すると、容器２２を保持運搬具２０、２０ａから容易に素早く解放できる。
【００４６】
第一部分から破断片８６、８６ａを分離する孔線８８は、離間した一連の点状の小口から形成しても、離間した短い線状の小口から形成してもよい。途切れずに連続した保持運搬具２０、２０ａの部分により孔線８８の各小口は互いに離されている。孔線８８はパッケージの一体性を損なうものではなく、保持運搬具２０、２０ａの各側部における破断片８６、８６ａの破断および除去を促進するものである。孔線の代わりに材料を押出成形したビードを用いることも可能である。孔線８８は適切な公知手段により形成される。
【００４７】
各孔線８８は保持運搬具２０、２０ａの端部から始まり、好ましくは保持運搬具２０、２０ａの各側部の最後の開口部の端縁部から内方へ離れた位置である保持運搬具２０、２０ａの周縁部内にて終わるため、破断片８６、８６ａは保持運搬具２０、２０ａの残りの部分５８と一体的に連結されている。破断片８６、８６ａは、両方とも保持運搬具２０、２０ａの同じ側の端部から始まっている。選択可能には、破断片８６、８６ａが保持運搬具２０、２０ａの両端部から始まってもよい。各破断片８６、８６ａを孔線８８に沿って破断したとき、破断片８６、８６ａは保持運搬具２０、２０ａに付いたままであり、分離されて保持運搬具２０、２０ａの残りの部分から離れた別体の廃棄物にはならない。
【００４８】
孔線８８により、利用者は破断片８６、８６ａを破断し、破断片８６、８６ａをそれに対応する第一部分から分離することができる。各破断片８６、８６ａをそれに対応する第一部分から一旦分離すると、第一部分から形成された非常に幅の狭い連続したウェブ材が残り、このウェブは破断片８６、８６ａを破断することでは破断したり破れたりしない。容器２２は互いに分離しないように幅の狭いウェブによりパッケージ内に列をなして保持されている。利用者が幅の狭い連続したウェブによってパッケージ２３、２３ａを開けようとしたときに容器２２が勝手に外れてしまうことが防止される。保持運搬具２０、２０ａの残りの部分から破断片８６、８６ａを破断すると、ウェブの長さ方向に沿ってギザギザの縁が形成される。好ましくは、破断片８６、８６ａを破断したあとに幅の狭いウェブを形成する第一部分の幅は、孔線８８の隣接した二つの点状の小口または線状の小口の間の距離よりも大きく、従って破断片８６、８６ａを排除しようとする力が早まって保持運搬具２０、２０ａの開口部４６の方へ導かれてしまう危険性を最小限に抑えつつ破断片８６、８６ａを排除することができる。
【００４９】
保持運搬具２０、２０ａから容器２２を解放するためには、幅の狭いウェブを適宜選択して破断する。保持運搬具２０、２０ａが各ボトル２２の側壁２４に沿って配置されているため、ボトル２２を隣接したボトル２２の方へ動かし、それによるてこ作用によりウェブを適宜選択して容易に破断し、パッケージの列内に容器２２を保持した残りの幅の狭いウェブを破断する。
【００５０】
保持運搬具２０、２０ａ内の開口部４６の外縁４８はある所定の輪郭に僅かに形どられており、また各破断片８６、８６ａが直線であるため、残りのウェブに特に狭い幅の領域が形成され、従って応力集中や弱い部分が形成されるため、ウェブを容易に破断し、その後、容器２２を容易に取り出せる。更に各孔線８８が最後の開口部４６の端縁から内方へ離れた位置で終わるため、破断片８６、８６ａを破断するための力の量によっては、破断片８６、８６ａの最後の破断力が内方へ開口部４６の方へと導かれ、他の全ての開口部内に容器を保持つつ上記最後の開口部４６内の容器２２を解放することができる。
【００５１】
図面で示したように、各破断片８６、８６ａはその始まり端部に、ここでは矢印形状で示した開口９２、９２ａを備えた拡大部分９０、９０ａを有する。破断片８６、８６ａを破断するには、利用者は破断片８６、８６ａの拡大部分９０、９０ａを掴み、破断片８６、８６ａを掴み易くするための拡大部分９０、９０ａの開口９２、９２ａへ指を通し、破断片８６、８６ａが容易に破断できる。
【００５２】
本発明の保持運搬具２０、２０ａには他の幾つかの利点がある。例えば保持運搬具２０、２０ａは丈夫であると共に、利用者がパッケージ２３、２３ａを容易に運搬できるようにする。本発明の保持運搬具２０、２０ａは低コストで製造可能である。
【００５３】
本発明の好適実施形態を図示し説明したが、特許請求の範囲およびその精神から逸脱することなく本発明の様々な変更例を当業者がなしえることは明らかである。
【図面の簡単な説明】
【図１】本発明の第一実施形態の特徴を有する保持運搬具の側面図である。
【図２】保持運搬具の取っ手部分が静止位置にある状態で、点線で示した複数の容器を包囲し、パッケージを形成したところを示した図１の保持運搬具の斜視図である。
【図３】保持運搬具の取っ手部分が運搬位置にある状態で、点線で示した複数の容器を包囲し、パッケージを形成したところを示した図１の保持運搬具の斜視図である。
【図４】本発明の特徴を具体化した互いに接続された複数の平坦な保持運搬具を示した部分立面図である。
【図５】本発明の第二実施形態の特徴を有する保持運搬具の側立面図である。
【図６】保持運搬具の取っ手部分が静止位置にある状態で、点線で示した複数の容器を包囲し、パッケージを形成したところを示した図５の保持運搬具の斜視図である。
【図７】保持運搬具の取っ手部分が運搬位置にある状態で、点線で示した複数の容器を包囲し、パッケージを形成したところを示した図５の保持運搬具の斜視図である。
【符号の説明】
２０…保持運搬具
３０、３２…容器係合部
３６…内縁部
３８…外縁部
４０、４２…側縁部
５８…破断片
【図１】
0003621510.tif 000002
【図２】
0003621510.tif 000003
【図３】
0003621510.tif 000004
【図４】
0003621510.tif 000005
【図５】
0003621510.tif 000006
【図６】
0003621510.tif 000007
【図７】
0003621510.tif 000008